(57)【要約】      （修正有）【課題】異なる機種の携帯端末に使用できる携帯端末用ケースを提供する。【解決手段】携帯端末を保護する携帯端末用ケースであって、第１携帯端末２００および第２携帯端末の何れでも装着可能であり、第１携帯端末のカメラレンズ２０１ａ〜２０１ｃを外部に露出させる第１カメラ孔２３を有するケース部２０と、第１カメラ孔の少なくとも一部を塞ぐと共に、第２携帯端末のカメラレンズを外部に露出させる第２カメラ孔４１を有するアタッチメント部４０と、を備える。【選択図】図１Ｂ
0003226047.tif 000002
【実用新案登録請求の範囲】
【請求項１】
携帯端末を保護する携帯端末用ケースであって、
第１携帯端末および第２携帯端末の何れでも装着可能であり、前記第１携帯端末のカメラレンズを外部に露出させる第１孔を有するケース部と、
前記第１孔の少なくとも一部を塞ぐと共に、前記第２携帯端末のカメラレンズを外部に露出させる露出部を有するアタッチメント部と、を備えることを特徴とする携帯端末用ケース。
【請求項２】
前記アタッチメント部は、
前記第１孔を塞ぐと共に、前記露出部が前記第２携帯端末のカメラレンズを外部に露出させる第２孔であることを特徴とする請求項１に記載の携帯端末用ケース。
【請求項３】
前記ケース部は、
前記第１携帯端末または前記第２携帯端末が取り付けられる取付部材と、
前記取付部に取り付けられた携帯端末を覆うカバー部材と、を有し、
前記取付部材は、前記第１孔を有し、
前記アタッチメント部は、前記取付部材に対して取り付けおよび取り外し可能であることを特徴とする請求項１または２に記載の携帯端末用ケース。
【請求項４】
前記第１携帯端末および前記第２携帯端末のうち何れか一方を前記ケース部に装着する場合には前記ケース部に装着された携帯端末と前記ケース部との間に介在させ、前記第１携帯端末および前記第２携帯端末のうち何れか他方を前記ケース部に装着する場合には前記ケース部に装着された携帯端末と前記ケースとの間に介在させないシート部材を、更に備えることを特徴とする請求項１ないし３の何れか１項に記載の携帯端末用ケース。
【請求項５】
前記ケース部は、
前記ケース部に装着された携帯端末の側面を保持する側部を有し、
前記側部の内側面と前記携帯端末の側面との間のクリアランスは、前記携帯端末の裏面側よりも表面側が小さいことを特徴とする請求項１ないし４の何れか１項に記載の携帯端末用ケース。
【考案の詳細な説明】
【技術分野】
【０００１】
本考案は、携帯電話、スマートフォン、タブレット端末等の携帯端末を保護するための携帯端末用ケースに関するものである。
【背景技術】
【０００２】
一般的に、携帯端末用ケースは携帯端末のカメラの位置やサイズに合わせて設計されている。したがって、携帯端末の機種に応じて携帯端末用ケースが製造され、販売されている。携帯端末のメーカは、定期的に新機種を開発して販売するが、新機種と旧機種とではカメラの位置が異なっていたり、携帯端末のサイズがわずかに異なったりしている場合がある。そのため、旧機種と新機種とで異なる携帯端末用ケースを製造する必要がある。
【先行技術文献】
【特許文献】
【０００３】
【特許文献１】実用新案登録第３２１１９０８号公報
【考案の概要】
【考案が解決しようとする課題】
【０００４】
しかしながら、近年、携帯端末のメーカは、携帯端末の新機種を販売した場合であっても旧機種を継続して販売する場合が増えている。このような場合、携帯端末用ケースを販売する店舗（オンラインショップを含む）では、旧機種の販売が継続されている間、旧機種用の携帯端末用ケースを在庫として残しておく必要があった。したがって、携帯端末用ケースを販売する店舗では、扱う必要がある携帯端末用ケースの種類が増えてしまい管理コストが掛かってしまうという問題がある。
本考案は、上述したような問題点に鑑みてなされたものであり、異なる機種の携帯端末に使用できる携帯端末用ケースを提供することを目的とする。
【課題を解決するための手段】
【０００５】
本考案の携帯端末用ケースは、携帯端末を保護する携帯端末用ケースであって、第１携帯端末および第２携帯端末の何れでも装着可能であり、前記第１携帯端末のカメラレンズを外部に露出させる第１孔を有するケース部と、前記第１孔の少なくとも一部を塞ぐと共に、前記第２携帯端末のカメラレンズを外部に露出させる露出部を有するアタッチメント部と、を備えることを特徴とする。
【考案の効果】
【０００６】
本考案によれば、異なる機種の携帯端末に使用することができる。
【図面の簡単な説明】
【０００７】
【図１Ａ】携帯端末用ケースの構成の一例を示す斜視図である。
【図１Ｂ】携帯端末用ケースの構成の一例を示す斜視図である。
【図２】第１の実施形態のアタッチメント部の周辺の構成の一例を示す図である。
【図３】携帯端末用ケースを裏面側から見た図である。
【図４】側部について説明するための図である。
【図５】第２の実施形態のアタッチメント部の構成の一例を示す斜視図である。
【考案を実施するための形態】
【０００８】
以下、本考案に係る実施形態の携帯端末用ケースについて図面を参照して説明する。携帯端末用ケースは、携帯電話、スマートフォン、タブレット端末等の携帯端末を覆うことで、汚れや外力等から携帯端末を保護する。また、各図では、必要に応じて上側を矢印Ｕｐで示し、下側を矢印Ｌｏで示し、右側を矢印Ｒで示し、左側を矢印Ｌで示している。ここで、上側とは使用者が直立して鉛直状態の携帯端末を正視したときに上になる側をいい、下側とはその反対側をいうものとする。
【０００９】
（第１の実施形態）
図１Ａ、図１Ｂは、第１の実施形態の携帯端末用ケース１０の構成の一例を示す斜視図である。具体的には、図１Ａは携帯端末用ケース１０に携帯端末１００を装着する場合の一例を示す斜視図であり、図１Ｂは携帯端末用ケース１０に携帯端末２００を装着する場合の一例を示す斜視図である。
【００１０】
まず、本実施形態の携帯端末用ケース１０に装着する携帯端末１００および携帯端末２００の一例について図１Ａ、図１Ｂを参照して説明する。携帯端末１００および携帯端末２００とは機種が異なる。携帯端末１００は旧機種の一例であり、携帯端末２００は新機種の一例である。また、携帯端末１００は第２携帯端末の一例であり、携帯端末２００は第１携帯端末の一例である。
なお、携帯端末１００および携帯端末２００は何れも、略矩形の平板状に形成され、一方側の広い面が表示面を有する表面側であり、他方側の広い面が裏面側である。以下では、携帯端末１００および携帯端末２００の表示面側の広い面を表面といい、他方側の広い面を裏面というものとする。
【００１１】
図１Ａに示す携帯端末１００は、裏面に複数のカメラレンズ１０１ａ、１０１ｂを有する。具体的には、携帯端末１００は、裏面のうち左右方向の一方側に偏倚した位置および上下方向の一方側に偏倚した位置に、上下に離れて２つのカメラレンズ１０１ａ、１０１ｂを有する。また、携帯端末１００は、カメラレンズ１０１ａとカメラレンズ１０１ｂとを上下方向に長い長円形で取り囲む領域１０２が裏面から突出している。
また、携帯端末１００は、図１Ｂに示す携帯端末２００と比べて、左右方向の横幅がわずかに短く（例えば０．４ｍｍ〜０．５ｍｍ短い）、上下方向の縦幅がわずかに短い（例えば０．４ｍｍ〜０．５ｍｍ短い）。また、携帯端末１００は、図１Ｂに示す携帯端末２００と比べて、厚みがわずかに薄い（例えば０．４ｍｍ〜０．５ｍｍ薄い）。
【００１２】
図１Ｂに示す携帯端末２００は、裏面に複数のカメラレンズ２０１ａ〜２０１ｃを有する。具体的には、携帯端末２００は、裏面のうち左右方向の一方側に偏倚した位置および上下方向の一方側に偏倚した位置に、それぞれ離れて３つのカメラレンズ２０１ａ〜２０１ｃを有する。また、携帯端末２００は、カメラレンズ２０１ａ〜２０１ｃを４つの角が円弧状の略矩形で取り囲む領域２０２が裏面から突出している。
【００１３】
次に、本実施形態の携帯端末用ケース１０について説明する。本実施形態の携帯端末用ケース１０は、上述した携帯端末１００および携帯端末２００の何れであっても使用することができる。
携帯端末用ケース１０は、ケース部２０と、アタッチメント部４０と、シート部材５０とを備える。
【００１４】
まず、ケース部２０について説明する。ケース部２０は、携帯端末１００、２００を着脱可能に装着させる。すなわち、ケース部２０は、携帯端末１００および携帯端末２００の何れでも装着可能である。本実施携帯のケース部２０は、取付部材２１と、カバー部材３０とを有する。
【００１５】
取付部材２１は、携帯端末１００または携帯端末２００を取り付け可能である。取付部材２１は、例えば、ポリカーボネート等の可撓性のある樹脂材料が用いられる。取付部材２１は、厚みが厚い携帯端末２００を取り付けたときに適度に嵌まり合うように設計され、厚みが薄い携帯端末１００を取り付けたときには幾分の余裕がある。
取付部材２１は、板状部２２と、側部２５とを有する。
板状部２２は、携帯端末１００、２００の裏面と略同一の大きさであり、携帯端末１００、２００が取付部材２１に取り付けられた場合に携帯端末１００、２００の裏面と対向する。また、板状部２２は、携帯端末２００が取付部材２１に取り付けられた場合に、携帯端末２００に設けられたカメラレンズ２０１ａ〜２０１ｃを外部に露出させる第１カメラ孔２３を有する。第１カメラ孔２３は、板状部２２のうち左右方向の一方側に偏倚した位置および上下方向の一方側に偏倚した位置に形成される。第１カメラ孔２３は、携帯端末２００の裏面から突出する領域２０２よりも大きく、領域２０２の形状と略相似した形状の孔である。第１カメラ孔２３は、平面視において略矩形、具体的には４つの角が円弧状の略正方形状である。第１カメラ孔２３は、第１孔の一例に対応する。
【００１６】
側部２５は、板状部２２の外周縁から前面側に向かって突出するように板状部２２に一体で形成される。側部２５は、外力が掛かることによりわずかに弾性変形可能である。携帯端末１００、２００を取付部材２１に取り付ける場合、側部２５を弾性変形させながら、取付部材２１内に携帯端末１００、２００を挿入することで、側部２５が携帯端末１００、２００の側面を保持して携帯端末１００、２００が取付部材２１に取り付けられる。なお、側部２５は、板状部２２の外周縁から断続的に形成されている。携帯端末１００、２００が取付部材２１に取り付けられた場合に、断続的に形成された側部２５同士の間から、携帯端末１００、２００の側面に設けられたスイッチ等を外部に露出させることができる。なお、携帯端末１００と携帯端末２００とは、上述したように左右方向の横幅および上下方向の縦幅がわずかに異なる寸法であり、側部２５は、携帯端末１００と携帯端末２００とのわずかに異なる寸法を吸収できるように構成される。側部２５の構成については、図４を参照して後述する。
【００１７】
カバー部材３０は、裏カバー部３１と、表カバー部３４と、曲げ部３６とを有する。裏カバー部３１および表カバー部３４は、例えば、芯材としてポリカーボネート等の可撓性のある樹脂材料が用いられ、両面または片面に合成皮革や天然皮革等を貼り付けることで構成される。曲げ部３６は、例えば、裏カバー部３１および表カバー部３４にそれぞれ貼り付けられた合成皮革や天然皮革等を曲げ部３６の位置まで延長させる一方、芯材を省略することで構成される。カバー部材３０は、裏カバー部３１と取付部材２１とが互いに対向する面同士が接着されることで取付部材２１と接続される。カバー部材３０は、曲げ部３６で曲げることで、取付部材２１に取り付けられた携帯端末１００、２００を裏カバー部３１と表カバー部３４とで挟み込むようにして覆う。
【００１８】
裏カバー部３１は、取付部材２１に取り付けられた携帯端末１００、２００の裏面側を板状部２２を介して覆う。また、裏カバー部３１は、携帯端末２００が取付部材２１に取り付けられた場合に、携帯端末２００に設けられたカメラレンズ２０１ａ〜２０１ｃを、取付部材２１の第１カメラ孔２３を通して外部に露出させる挿通孔３２を有する。すなわち、携帯端末２００が取付部材２１に取り付けられた場合には、第１カメラ孔２３と挿通孔３２とが連通する。挿通孔３２は、裏カバー部３１のうち左右方向の一方側に偏倚した位置および上下方向の一方側に偏倚した位置に形成される。挿通孔３２は、第１カメラ孔２３と略同一の大きさの略矩形、あるいは第１カメラ孔２３よりも大きい略矩形である。
【００１９】
表カバー部３４は、携帯端末１００、２００を使用しない場合には携帯端末１００、２００の表面側を覆い（閉じるという）、携帯端末１００、２００を使用する場合に携帯端末１００の表面を露出させる（開くという）。このように、表カバー部３４は、取付部材２１に取り付けられた携帯端末１００、２００の表面側を覆ったり、表面側を露出したりして、開閉可能である。
曲げ部３６は、裏カバー部３１と表カバー部３４との間を曲げ可能に連結する。曲げ部３６は、携帯端末１００、２００を挟んで裏カバー部３１と表カバー部３４とを重なり合った状態にすることができる。
【００２０】
次に、アタッチメント部４０について説明する。アタッチメント部４０は、ケース部２０の取付部材２１に対して、具体的には第１カメラ孔２３に対して取り付けおよび取り外し可能である。取付部材２１に携帯端末１００を取り付ける場合には第１カメラ孔２３にアタッチメント部４０を取り付ける。一方、取付部材２１に携帯端末２００を取り付ける場合には第１カメラ孔２３からアタッチメント部４０を取り外す、すなわちアタッチメント部４０を使用しない。
【００２１】
アタッチメント部４０は、第１カメラ孔２３を塞ぐことができる大きさに形成される。アタッチメント部４０は、略板状であり、取付部材２１の板状部２２の板厚と略同一である。アタッチメント部４０は、平面視において略矩形、具体的には４つの角が円弧状の略正方形状である。アタッチメント部４０は、取付部材２１と同様に、例えば、ポリカーボネート等の樹脂材料が用いられる。アタッチメント部４０は、携帯端末１００が取付部材２１に取り付けられる場合に、携帯端末１００に設けられたカメラレンズ１０１ａ、１０１ｂを外部に露出させる露出部としての第２カメラ孔４１を有する。第２カメラ孔４１は、アタッチメント部４０のうち左右方向の一方側に偏倚した位置に形成される。第２カメラ孔４１は、上下方向に長い長孔である。第２カメラ孔４１は、携帯端末１００の裏面から突出する領域１０２の形状と略相似した形状の孔である。第２カメラ孔４１は、第１カメラ孔２３よりも開口面積が小さい。なお、第２カメラ孔２３は第２孔の一例に対応する。
【００２２】
図２は、アタッチメント部４０の周辺の構成の一例を示す図である。具体的に、図２（ａ）は取付部材２１に取り付けられたアタッチメント部４０の平面図である。図２（ｂ）は図２（ａ）のＩ−Ｉ線に沿って切断した断面図であって取付部材２１にアタッチメント部４０を取り付けた状態の図である。図２（ｃ）は図２（ａ）のＩ−Ｉ線に沿って切断した断面図であって取付部材２１からアタッチメント部４０を取り外した状態の図である。
アタッチメント部４０は、取付部材２１の第１カメラ孔２３に取り付けられる。図２（ｂ）に示すように、アタッチメント部４０は外周縁に沿った当接部４３を有する。当接部４３は、アタッチメント部４０の表面側の部分を裏面側よりも外側に広がるように形成された段状の部位である。一方、図２（ｂ）および図２（ｃ）に示すように、第１カメラ孔２３には内周縁に沿った被当接部２４が形成される。被当接部２４は第１カメラ孔２３のうち板状部２２の表面側が裏面側よりも孔径が広がるように形成された段状の部位である。
【００２３】
図２（ａ）に示すように、アタッチメント部４０を取付部材２１の表面側から第１孔２３に近づけて、アタッチメント部４０の当接部４３を第１カメラ孔２３の被当接部２４に当接させることで、アタッチメント部４０を第１カメラ孔２３（取付部材２１）に取り付けることができる。このとき、取付部材２１の裏面とアタッチメント部４０の裏面とが略面一である。また、取付部材２１の表面とアタッチメント部４０の表面とが略面一である。図２（ａ）に示す状態から、アタッチメント部４０を第１カメラ孔２３（取付部材２１）から表面側に離間させることで、アタッチメント部４０を第１カメラ孔２３（取付部材２１）から取り外すことができる。
【００２４】
アタッチメント部４０は、携帯端末１００を取付部材２１に取り付ける場合には第１カメラ孔２３に取り付け、携帯端末２００を取付部材２１に取り付ける場合には第１カメラ孔２３から取り外す。
図３（ａ）は、第１カメラ孔２３にアタッチメント部４０が取り付けられ、取付部材２１に携帯端末１００が取り付けられた携帯端末用ケース１０を裏面側から見た図である。図３（ａ）に示すように、携帯端末用ケース１０は、裏カバー部３１の挿通孔３２を通してアタッチメント部４０が視認されると共に、アタッチメント部４０の第２カメラ孔４１を通して携帯端末１００のカメラレンズ１０１ａ、１０１ｂが露出される。
図３（ｂ）は、第１カメラ孔２３からアタッチメント部４０を取り外され、取付部材２１に携帯端末２００が取り付けられた携帯端末用ケース１０を裏面側から見た図である。図３（ｂ）に示すように、携帯端末用ケース１０は、裏カバー部３１の挿通孔３２およびケース部２０の第１カメラ孔２３を通して、携帯端末２００のカメラレンズ２０１ａ〜２０１ｃが露出される。
【００２５】
次に、シート部材５０について説明する。シート部材５０は、厚みが異なる携帯端末１００および携帯端末２００の何れかを取付部材２１に取り付ける場合に嵌め合いを調整する部材である。シート部材５０は、例えば、シート状の樹脂材料が用いられる。図１Ａに示すように、シート部材５０は、板状部２２の表面側の略全面に亘る略矩形状であり、第１カメラ孔２３と干渉しないように４つの角のうち１つの角が切り欠かれている。また、シート部材５０は、携帯端末２００の厚みから携帯端末１００の厚みを減算した厚み（例えば０．４ｍｍ〜０．５ｍｍ）に形成される。
【００２６】
シート部材５０は、厚みが薄い携帯端末１００を取付部材２１に取り付ける場合には携帯端末１００と取付部材２１との間に介在させ、厚みが厚い携帯端末２００を取付部材２１に取り付ける場合には介在させないようにする。このように、厚みが薄い携帯端末１００を取付部材２１に取り付ける場合に、シート部材５０を携帯端末１００と取付部材２１との間に介在させることで、シート部材５０を介在させずに厚みが薄い携帯端末１００を取付部材２１に取り付けたときの幾分の余裕が解消されて、適度に嵌まり合うようにすることができる。
【００２７】
次に、側部２５の具体的な構成について説明する。図４は、側部２５について説明するための図である。具体的に、図４（ａ）は取付部材２１に横幅が小さい携帯端末１００を取り付けた状態を示す断面図であり、携帯端末１００と取付部材２１との間にシート部材５０が介在されている。一方、図４（ｂ）は取付部材２１に横幅が大きい携帯端末２００を取り付けた状態を示す断面図であり、携帯端末２００と取付部材２１との間にシート部材５０が介在されていない。
【００２８】
図４（ａ）、（ｂ）に示すように、側部２５は、携帯端末１００、２００の側面の形状に合せて凹状に湾曲して形成される。ここで、図４（ｂ）に示すように、側部２５の内側面２５ａと横幅が大きい携帯端末２００の側面との間のクリアランスは一定ではなく、携帯端末２００の厚み方向の中心線Ｃよりも表面側のクリアランスＳｂ１が小さく、中心線Ｃよりも裏面側のクリアランスＳｂ２が大きくなるように設計されている。図４（ｂ）に示す例では、クリアランスＳｂ１は０ｍｍであり、側部２５の内側面２５ａと携帯端末２００の側面とが接触している。
したがって、図４（ａ）に示すように、横幅が小さい携帯端末１００が取付部材２１に取り付けられた場合には、携帯端末１００の厚み方向の中心線Ｃよりも表面側のクリアランスＳａ１を小さくすることができる。このようにクリアランスＳａ１を小さくすることで、横幅が小さい携帯端末１００を取付部材２１から離脱することを防止することができる。
【００２９】
以上のように、本実施形態の携帯端末用ケース１０によれば、携帯端末１００および携帯端末２００の何れでも装着可能であり、携帯端末２００のカメラレンズ２０１ａ〜２０１ｃを外部に露出させる第１カメラ孔２３を有するケース部２０と、第１カメラ孔２３を塞ぐと共に、携帯端末１００のカメラレンズ１０１ａ、１０１ｂを外部に露出させる第２カメラ孔４１を有するアタッチメント部４０とを備える。そのために、ケース部２０に携帯端末１００を装着する場合には、ケース部２０の第１カメラ孔２３にアタッチメント部４０を取り付けることで、アタッチメント部４０の第２カメラ孔４１を通して携帯端末１００のカメラレンズ１０１ａ、１０１ｂを露出されることができる。一方、ケース部２０に携帯端末２００を装着する場合には、ケース部２０の第１カメラ孔２３からアタッチメント部４０を取り外すことで、ケース部２０の第１カメラ孔２３を通して携帯端末２００のカメラレンズ２０１ａ〜２０１ｃを露出されることができる。したがって、本実施形態の携帯端末用ケース１０を、異なる機種の携帯端末１００、２００に使用することができる。
【００３０】
なお、アタッチメント部４０の第２カメラ孔４１は、携帯端末１００に設けられた上下に離れた２つのカメラレンズ１０１ａ、１０１ｂを露出させるように、上下方向に長い長孔である場合について説明したが、この場合に限られない。例えば、図示しない携帯端末に設けられた左右に離れた複数のカメラレンズを露出させるように、左右方向に長い長孔であってもよい。また、アタッチメント部４０を、図１Ｂに示す中心線Ｏ回りに９０度、回転させた後に第１カメラ孔２３に取り付けることで、携帯端末用ケース１０は左右に離れた複数のカメラレンズを有する携帯端末にも使用することができる。
【００３１】
（第２の実施形態）
次に、第２の実施形態のアタッチメント部６０について説明する。なお、第１の実施形態と同様の構成は適宜、説明を省略する。
図５は、本実施形態のアタッチメント部６０の構成の一例を示す斜視図である。
本実施形態のアタッチメント部６０は、ケース部２０の取付部材２１に対して、具体的に第１カメラ孔２３に対して取り付けおよび取り外し可能である。
アタッチメント部６０は、第１カメラ孔２３の一部を塞ぐことができる大きさに形成される。アタッチメント部６０は、携帯端末１００が取付部材２１に取り付けられる場合に、携帯端末１００に設けられたカメラレンズ１０１ａ、１０１ｂを外部に露出させる露出部としての切り欠き部６１を有する。切り欠き部６１は、アタッチメント部６０のうち左右方向の一方側に偏倚した位置に形成される。切り欠き部６１は、半長孔状である。また、アタッチメント部６０は、切り欠き部６１を挟んだ上下に突出部６２を有する。実施形態のアタッチメント部６０は、第１カメラ孔２３に対して取り付けることで、切り欠き部６１と、第１カメラ孔２３のうちアタッチメント部６０によって閉塞されない非閉塞部とにより第２カメラ孔が形成される。切り欠き部６１と、第１カメラ孔２３の非閉塞部とが第２孔の一例に対応する。携帯端末１００が取付部材２１に取り付けられる場合に、切り欠き部６１と、第１カメラ孔２３の非閉塞部とにより携帯端末１００に設けられたカメラレンズ１０１ａ、１０１ｂを外部に露出させることができる。
【００３２】
以上のように、本実施形態のアタッチメント部６０は、第１カメラ孔２３の一部を塞ぐと共に、携帯端末１００のカメラレンズ１０１ａ、１０１ｂを外部に露出させる露出部としての切り欠き部６１を有する。したがって、第１の実施形態と同様に、携帯端末用ケース１０は、異なる機種の携帯端末１００、２００に使用することができる。
なお、本実施形態のアタッチメント部６０は、露出部としての切り欠き部６１を有する場合について説明したが、この場合に限られない。アタッチメント部６０は、上下の突出部６２をなくして上下方向に沿って略直線状の形状であってもよい。この場合、アタッチメント部６０は、左右方向に沿った横幅の寸法が、第１カメラ孔２３の左右方向に沿った孔の寸法よりも小さくなる。この場合、アタッチメント部６０のうち左右方向の一方側の端部（右端部）と、第１カメラ孔２３のうちアタッチメント部６０によって閉塞されない非閉塞部とにより第２カメラ孔が形成される。
【００３３】
以上、本考案を上述した実施形態により説明したが、本考案は上述した実施形態に限定されるものではなく、本考案の範囲内で変更等が可能であり、各実施形態および変形例を組み合せてもよい。
上述した実施形態では、携帯端末１００は携帯端末２００と比べて、厚みがわずかに薄い場合について説明したが、この場合に限られず、携帯端末１００は携帯端末２００と比べて、厚みがわずかに厚くてもよい。この場合には、シート部材５０は、厚みが薄い携帯端末２００をケース部２０に装着する場合には携帯端末２００と取付部材２１との間に介在させ、厚みが厚い携帯端末１００をケース部２０に装着する場合には介在させないようにする。
【００３４】
上述した実施形態では、携帯端末１００は携帯端末２００と比べて、左右方向の横幅がわずかに短く、上下方向の縦幅がわずかに短い場合について説明したが、この場合に限られず、携帯端末１００は携帯端末２００と比べて、左右方向の横幅がわずかに長く、上下方向の縦幅がわずかに長くてもよい。
【００３５】
上述した実施形態では、ケース部２０が取付部材２１と、カバー部材３０とを有する場合について説明したが、この場合に限られず、ケース部２０がカバー部材３０を有していなくてもよい。例えば、ケース部２０は取付部材２１のみから構成されていてもよい。
【００３６】
上述した実施形態では、アタッチメント部４０、６０は第１カメラ孔２３、すなわち板状部２２に取り付ける場合について説明したが、裏カバー部３１に取り付けてもよい。
上述した実施形態では、携帯端末１００が旧機種であり、携帯端末２００が新機種である場合について説明したが、この場合に限られない。例えば、携帯端末１００が新機種であって、携帯端末２００が旧機種であってもよい。また、携帯端末１００と携帯端末２００とは同時期あるいは異なる時期に販売されたグレードが異なる機種であってもよい。また、携帯端末１００と携帯端末２００とは同じ携帯端末のメーカが販売している携帯端末である場合に限られず、異なる携帯端末のメーカが販売している携帯端末であってもよい。
【符号の説明】
【００３７】
１０：携帯端末用ケース  ２０：ケース部  ２１：取付部材  ２２：板状部  ２３：第１カメラ孔  ２５：側部  ３０：カバー部材  ４０：アタッチメント部  ４１：第１カメラ孔（露出部）  ６０：アタッチメント部  ６１：切り欠き部（露出部）  １００、２００：携帯端末  １０１ａ、１０１ｂ：カメラレンズ  ２０１ａ〜２０１ｃ：カメラレンズ
【図１Ａ】
0003226047.tif 000003
【図１Ｂ】
0003226047.tif 000004
【図２】
0003226047.tif 000005
【図３】
0003226047.tif 000006
【図４】
0003226047.tif 000007
【図５】
0003226047.tif 000008
【手続補正書】
【提出日】令和2年2月21日(2020.2.21)
【手続補正１】
【補正対象書類名】実用新案登録請求の範囲
【補正対象項目名】全文
【補正方法】変更
【補正の内容】
【実用新案登録請求の範囲】
【請求項１】
携帯端末を保護する携帯端末用ケースであって、
第１携帯端末および第２携帯端末の何れでも装着可能であり、前記第１携帯端末のカメラレンズを外部に露出させる第１孔を有するケース部と、
前記第１孔の少なくとも一部を塞ぐと共に、前記第２携帯端末のカメラレンズを外部に露出させる露出部を有するアタッチメント部と、を備えることを特徴とする携帯端末用ケース。
【請求項２】
前記アタッチメント部は、
前記第１孔を塞ぐと共に、前記露出部が前記第２携帯端末のカメラレンズを外部に露出させる第２孔であることを特徴とする請求項１に記載の携帯端末用ケース。
【請求項３】
前記ケース部は、
前記第１携帯端末または前記第２携帯端末が取り付けられる取付部材と、
前記取付部材に取り付けられた携帯端末を覆うカバー部材と、を有し、
前記取付部材は、前記第１孔を有し、
前記アタッチメント部は、前記取付部材に対して取り付けおよび取り外し可能であることを特徴とする請求項１または２に記載の携帯端末用ケース。
【請求項４】
前記第１携帯端末および前記第２携帯端末のうち何れか一方を前記ケース部に装着する場合には前記ケース部に装着された携帯端末と前記ケース部との間に介在させ、前記第１携帯端末および前記第２携帯端末のうち何れか他方を前記ケース部に装着する場合には前記ケース部に装着された携帯端末と前記ケース部との間に介在させないシート部材を、更に備えることを特徴とする請求項１ないし３の何れか１項に記載の携帯端末用ケース。
【請求項５】
前記ケース部は、
前記ケース部に装着された携帯端末の側面を保持する側部を有し、
前記側部の内側面と前記携帯端末の側面との間のクリアランスは、前記携帯端末の裏面側よりも表面側が小さいことを特徴とする請求項１ないし４の何れか１項に記載の携帯端末用ケース。